(57)【特許請求の範囲】
【請求項１】
片側が開口する袋を充填、シールする装置であって、充填管を含み且つ袋を充填する目的を満たす充填ステーションと、空の袋を搬送し、袋を充填ステーションで保持し、又は充填済み袋を搬出するための種々の把持具と、充填ステーションの下方で始まり、充填済みの袋を支え且つそれを充填ステーションから搬出するコンベヤベルトとを有し、前記コンベヤベルトは、前記充填ステーションの下方に位置する端部と、前記端部に取付けられたガイドローラと、上側搬送路とを有する装置において、
充填ステーションの下方に位置する前記コンベヤベルトの前記端部全体は、前記ガイドローラを回動させることによって上下に揺動し、
追加の振動装置が前記コンベヤベルトの前記端部の上側搬送路の下に設けられる、ことを特徴とする前記装置。
【請求項２】
前記ガイドローラは空気又は液圧駆動レバーバーによって回動される、請求項１に記載の装置。
【請求項３】
前記ガイドローラは周期的に上下する、請求項２に記載の装置。
【請求項４】
前記コンベヤベルトを横断するポストを更に有する、請求項１乃至３の何れか１項に記載の装置。
【請求項５】
袋が前記把持具によって充填ステーションに搬送される前のところにおいて且つ前記コンベヤベルトよりも上方において、搬送方向に対して直角方向に延びるバーが設けられ、袋が充填ステーションに搬送されるとき、袋の底部が前記バーの上に引かれ、前記コンベヤベルトの２つの前記ポストにぶつかることなしに前記２つのポストの間に載せられる、請求項４に記載の装置。
【請求項６】
前記コンベヤベルト全体は機械フレーム内で上下方向に調整される、請求項１乃至５の何れか１項に記載の装置。
【発明の詳細な説明】
【０００１】
【発明の属する技術分野】
本発明は、請求項１の前段による、片側が開口し、好ましくは側方の折り目を有する袋を充填、シールする装置に関する。
【０００２】
【従来の技術及び発明が解決しようとする課題】
上記装置が、例えば、欧州特許第 EP 290 879 A2号明細書及びドイツ特許第 DE 93 01 355 U号明細書に開示されている。これらの特許に記載されている装置は、充填管を含み且つ袋に好ましくは小粒又はダスト状の充填材料を充填する目的を満たす充填ステーションを有する。装置は、空の袋を搬送し、袋を充填ステーションで保持し、又は充填済みの袋を搬出するための種々の把持具を装置内に有する。充填ステーションの下方には、充填済みの袋を支え且つそれを充填ステーションから搬出するためのコンベヤベルトが設けられている。このコンベヤベルトは、２つのガイドローラの周りを回る少なくとも１つのスタンドを有する。従来技術の装置では、充填ステーションの前の領域で、供給ローラから引き出された熱可塑性樹脂のチューブに底溶着部が付与される。もしこの時点で装置を高サイクル速度で駆動するならば、袋を充填ステーションに引渡し、そこで充填するとき、底溶着部は冷却されておらず、従って、最終硬さに達していない。次いで、袋を充填用漏斗によっていきなり充填し、底溶着部に突然の応力がかかると、袋が裂けることがある。その結果、機械を停止させなければならない。
【０００３】
袋を充填する装置は欧州特許第 EP 486 376 B2号明細書にも開示されている。この装置では、コンベヤベルトが供給機の下方に配列されている。コンベヤベルトの一部分が揺動され、離れるようになっている。底溶着部を折り曲げた空の袋の折り返し部がこの部分に載り、その結果、最初の充填ショット時、継ぎ目に過度の応力がかからない。充填動作が続くと、袋の下にあるコンベヤベルトのこの部分は揺動され、下方に離れ、その結果、底部が形成される。いったん底部が形成されたら、コンベヤベルトのこの部分は、充填材料を圧縮するために周期的に上下に揺動し続ける。この動作の欠点は、薄い袋壁用材料が使用されるとき、この材料はプライヤーが保持している頂部領域の箇所に応力がかり、その箇所が伸び、その結果、袋を損傷させることがある点である。この装置の他の欠点は、振動及び圧縮工程中、比較的大きい塊を移動させなければならないことである。
【０００４】
本発明の目的は、充填工程中における損傷のない底部の形成と、大きい塊を移動させる必要がなく、しかも第２の損傷のない圧縮の両方を保証するこの種類の装置を提供することにある。
【０００５】
【課題を解決するための手段】
本発明はこの種類の装置に関連したこの問題を請求項１の後段部分の追加の特徴で解決する。これに関して、充填ステーションの下方の領域のコンベヤベルトは、ガイドローラを回動させることによって下降し、再び上昇する。追加の振動装置が充填ステーション領域のコンベヤベルトの搬送路の下に設けられている。コンベヤベルトのかかる設計により、充填ステーションに保持されている袋を安全に充填させる。そのとき、底溶着部がまだ完全に冷却されていない未充填袋は充填ステーションで吊るされており、把持具が袋を開口端でつかんでいる。袋の閉鎖端はコンベヤベルトの搬送路上にある。この搬送路は充填ステーションの下方に構成される。充填ステーションからコンベヤベルトの搬送路までの距離は未充填袋の長さよりも短い。従って、未充填袋の底端はコンベヤベルトの搬送路上に曲げられる。袋を充填するとき、充填物がコンベヤベルトのフロアにぶつかり、まだ完全に硬化していない底溶着部の領域に応力が突然加えられないので、充填動作の突然の衝撃が弱められる。この弱められた初期充填に引き続いて、袋の適切な底部を形成する課題がある。この目的のために、コンベヤベルトの端部に取付けられたガイドローラを下降させる。充填材料を圧縮すべく、充填材料を圧縮するための適当な衝撃を袋底部に与える目的で、コンベヤベルトを充填領域の搬送路の下に取付けられた振動装置によって振動させる。
【０００６】
本発明の本質は、回動可能なコンベヤベルト部材と、アジテータ、好ましくは振動装置との組合せが搬送路の下に設けられた点にある。原則的には、かかるアジテータ又は振動装置が設けられることは、間隔をおいたローラがコンベヤベルトの代わりに設けられる設計で知られている。規則的な間隔のローラの場合には、勿論、袋のための連続接触表面がない。もっとも、もしローラが規則的な間隔で設けられれば、未充填袋又は部分的に充填された袋は底部分がこれらのローラ間に落下し、そしてどうにか引っかかるおそれがあろう。
【０００７】
本発明の有利な実施形態は、請求項１を引用した従属項に係る実施形態に続く。
【０００８】
変形例として、ガイドローラは、空気又は液圧駆動レバーバーによって回動される。
【０００９】
コンベヤベルトのガイドローラを周期的に上下させるけれども、充填工程中は、上述のように、袋底部を低周波数で振動させる。
【００１０】
コンベヤベルト上を横断方向に走るポストが設けられる。ポスト間距離は、充填済み袋を任意の２つのポスト間に収容するように選択される。もしそのような横断ポストがあれば、一対の搬送用把持具によって到着した空の袋セグメントは、充填ステーションにおける又は充填ステーションの把持具への引渡し中、自由にぶら下がっている端がポストにぶつかり、その結果、自由端をポスト間のコンベヤベルト上に正確に載せられないことがあるという問題がある。従って、本発明はこの問題を、把持具によって充填ステーションに搬送される袋の搬送方向と反対方向でコンベヤベルトの前方且つ上方に、搬送方向と直角に走るバーを配置することによって解決する。袋は、袋底部を特定の回動によってコンベヤベルトの２つのポスト間に載せるように、バーの上に引かれる。
【００１１】
コンベヤベルト全体は機械フレーム内で上下方向に調整される。従って、種々の袋寸法に順応させやすい。
【００１２】
本発明の他の詳細及び利点を、図面に示した１つの実施形態を参照して説明する。
【００１３】
【発明の実施の形態】
欧州特許第EP 290 879 A2号明細書の記載によれば、片側が開口する袋を充填、シールする装置は、袋を製造し、袋に充填材料を充填し、そして充填済み袋を搬出する装置の一部である。以下、この装置について詳細に説明する。
【００１４】
図１は、袋を製造し、袋に充填材料を充填し、そして充填済み袋を搬出する上記装置の全体図である。装置全体を１０で示す。熱可塑性樹脂のポリマー１４で作られ且つ側方の折り目を有するチューブを供給ロール１２から引き出し、底シームを形成する第１溶着ステーション１６に供給する。底シームを形成した袋セグメントを在来のナイフによって切断し、一対の把持具１８によって充填ステーション２２に進める。充填ステーション２２では、各袋セグメント２４が定置の充填用把持具によってつかまれ且つ保持される。
【００１５】
袋２４の自由端２６は、充填ステーション２２の下方から始まるコンベヤベルト３０の上側搬送路２８の上にある。
【００１６】
コンベヤベルト３０は上下方向に調整可能である。コンベヤベルト３０の支持ビームの中央部は、図２に示すガイド３２の間を摺動するガイドジョーを備えた水平ブラケットを有する。コンベヤベルト３０を上下させるために、駆動可能なスピンドル３６を有するギヤモーター３４が設けられ、このギヤモータ３４によってコンベヤベルトの連続の上下方向調整がなされる。コンベヤベルトの上下方向調整は、袋２４の種々の寸法、即ち、長さに順応するのに必要である。
【００１７】
(ここに図示した)コンベヤベルト３０は、ばら材料を充填した袋２４の搬送を容易にするのに役立つ横断ポスト３８を有する。
【００１８】
図２から特に明らかなように、ガイドローラ４０は揺動して、充填ステーションの下にあるコンベヤベルト３０の自由端から離れる。ガイドローラ４０は、サイドプレートを詳細には図示していない仕方で使用して側面に取付けられる。これらのサイドプレートは回動ベアリング４２(図２参照)を中心に回動する。この回動は空気ピストン装置４４によってなされ、空気ピストン装置４４はガイドローラ４０を、回転中心４８を中心に回転する回動レバー機構４６によって回動させる。
【００１９】
袋２４の充填工程の個々の段階を図２乃至４を参照して説明する。
【００２０】
図２では、袋２４は充填ステーション２２内の一対の把持具５０によってつかまれている。溶着部(ここでは図示せず)がまだ完全に硬化していない底端２６は、コンベヤベルト３０の上側搬送路２８の上に曲げられている。間欠移動可能なコンベヤベルトはこの状態で停止している。充填ステーションでは、今、袋２４が在来の方法で充填される。上述したように、このような袋２４の配置によって、充填材料は底溶着部に応力を直接かけない。勿論この配置では、袋の底は望むように形成されない。
【００２１】
従って、図３に示すように、ガイドローラ４０、かくして、コンベヤベルト３０の端部全体をロッド４６によって下方に揺動させ、充填中の袋４８が下方に自由にぶら下がるようにする。コンベヤベルトを揺動させて、離している間、上側搬送路２８はガイドローラ５２で支持される。充填工程中の最後に、図４に示すように、コンベヤベルトを揺動させて開始位置に再び戻す。袋２４内のばら材料を圧縮するために、コンベヤベルト３０の回動可能な端部の上下揺動を周期的に繰り返す。ばら材料の更に強い圧縮のために、既知の構造の振動装置５４がコンベヤベルト３０の上側搬送路２８の下に構成される。振動装置５４を、図４に示すように、袋の底部をより高い周波数で振動させる。袋２４を充填した後、袋２４を別の一対の搬送用把持具によって在来の仕方でつかみ、開口側を溶着する溶着ステーションに搬送する。この移動動作中、コンベヤベルト３０は、袋を搬送する目的で動き続ける。
【００２２】
図１及び２では、充填ステーションに搬送される袋２４の搬送方向に対して直角方向のバー５６が設けられている。一対の把持具２０によって充填ステーションに移動される袋２４は、このバーの上に引かれる。充填ステーションへの搬送中、バー５６の上に引かれた袋２４の端部は、コンベヤベルト３０の２つのポスト３８の間を揺動し、その結果、袋２４の端部２６は、図１及び２に示すように、ポスト３８にぶつかることなしに２つのポスト３８の間の空間に正確に置かれる。
【００２３】
コンベヤベルトが揺動して、離れるように動いている間、コンベヤベルトの下側搬送路は支持ローラ５３に支えられる。
【図面の簡単な説明】
【図１】袋を充填、シールするための本発明の装置の実施形態の側面図である。
【図２】図１の拡大詳細図である。
【図３】図２と異なる作動位置における、図２の拡大詳細図である。
【図４】図２の拡大詳細図である。
【符号の説明】
２２      充填ステーション
２４      袋
２８      上側搬送路
３０      コンベヤベルト
３２      ガイド
３６      スピンドル
３８      横断ポスト
４０      ガイドローラ
４６      ロッド
５０      把持具
５４      振動装置
【図１】
0004681712.tif 000002
【図２】
0004681712.tif 000003
【図３】
0004681712.tif 000004
【図４】
0004681712.tif 000005